(57)【特許請求の範囲】
【請求項１】
先端側に放水用ノズルが接続され、基端側から消火水が供給されるホースと、該ホースを内巻きで収容するための収容部を有する筐体とを備えた消火栓装置であって、
該筐体は、開口部を有しており、
該収容部は、該ホースの先端側を収容する先端側収容部と該ホースの他の部分を収容する基端側収容部からなり、
該先端側収容部及び該基端側収容部は、該開口部に沿って並列され、
該先端側収容部は、基端側支柱を有しており、
該基端側支柱は、該ホースを該基端側収容部から該先端側収容部に受け渡すための受け渡し空間を形成するように上部側又は下部側が切除されたものであり、
該ホースは、該先端側収容部と該基端側収容部とに分けられて収容されることを特徴とする消火栓装置。
【請求項２】
先端側に放水用ノズルが接続され、基端側から消火水が供給されるホースと、該ホースを内巻きで収容するための収容部を有する筐体とを備えた消火栓装置であって、
該筐体は、開口部を有しており、
該収容部は、該ホースの先端側を収容する先端側収容部と該ホースの他の部分を収容する基端側収容部からなり、
該先端側収容部及び該基端側収容部は、該開口部に沿って並列され、
該先端側収容部は、基端側収容枠を有しており、
該基端側収容枠は、該開口部側に前板を有しており、
該前板は、該ホースを該基端側収容部から該先端側収容部に受け渡すための受け渡し空間を形成する様に上部側又は下部側が切除されたものであり、
該ホースは、該先端側収容部と該基端側収容部とに分けられて収容されることを特徴とする消火栓装置。
【請求項３】
先端側に放水用ノズルが接続され、基端側から消火水が供給されるホースと、該ホースを内巻きで収容するための収容部を有する筐体とを備えた消火栓装置であって、
該収容部は、該ホースの先端側を収容する先端側収容部と該ホースの他の部分を収容する基端側収容部からなり、
該先端側収容部は、基端側支柱及び該基端側支柱と連続する基端側収容枠と該ホースを該筐体外に引き出すための開口部とを有し、
該基端側収容枠は、該開口部側に前板を有しており、
該基端側支柱及び該前板は、該ホースを該基端側収容部から該先端側収容部に受け渡すための受け渡し空間を形成するように上部側又は下部側が切除されたものであり、
該ホースは、該先端側収容部と該基端側収容部とに分けられて収容されることを特徴とする消火栓装置。
【発明の詳細な説明】
【技術分野】
【０００１】
本発明は、消火栓装置であって、より詳細には、ホースが複数のホース収容部に分けて収納された消火栓装置に関する。
【背景技術】
【０００２】
従来、２つのホース収容部に夫々ノズル付ホースが収容される消火栓装置がある。この様な消火栓装置は、各々のホース収容部に異なる放水量（ホース内径）のノズル付ホースを収容しておくことによって、放水量の大きいノズル付ホースを取り扱うのが困難な者でも、消火活動が確実に行える様にしたものである（例えば、特許文献１を参照）。
【先行技術文献】
【特許文献】
【０００３】
【特許文献１】特開２００５−３３４５２８号公報
【発明の概要】
【発明が解決しようとする課題】
【０００４】
しかしながら、消火栓装置は、所定の放水距離性能を満たす必要があることから、ホースの長さとして所定の長さが必要である。そのため、従来の消火栓装置は、１つのホース収容部に収納されるホースの長さは従来と同等である。つまり、従来の消火栓装置は、２つのホース収容部があるが、１本のノズル付ホースを１つのホース収容部に収納していたため消火栓装置の奥行きを、従来通り長く確保する必要があり、薄型化が困難であるという問題があった。
【０００５】
特に、高速道路や自動車専用道路のトンネル等の側壁に埋め込まれ設置される消火栓装置にあっては、消火栓装置の奥行きが長い程、消火栓装置を設置するためのスペースを確保するために、トンネル等の側壁をより深く削る必要があり、トンネル全体の強度の低下を招く可能性がある。このため、消火栓装置を設置するスペースを補強する必要があり、施工に手間が掛かるという問題があった。
【０００６】
ここで、通常の消火栓装置（１本しかホースを有しないもの）についても薄型化が要望されている。この場合に、前記問題を解決するために、単純にホース収容部の幅を長くし、その分、奥行きを短くすると、内巻きで収容されたホースの上部側の水平部の長さが長くなり、放水のためホースに消火水が供給された際に、その重みによってホースの水平部が垂れ下がったり、消火水の供給によりホースが外周方向に伸びようとする力が働くことによってホースが暴れたりして、消火活動に支障をきたす可能性がある。
【０００７】
そこで、本発明は、消火作業に支障が生じることを防止できると共に薄型化した消火栓装置を提供することを目的とする。
【課題を解決するための手段】
【０００８】
本発明は、先端側に放水用ノズルが接続され、基端側から消火水が供給されるホースと、該ホースを内巻きで収容するための収容部を有する筐体とを備えた消火栓装置であって、該筐体は、開口部を有しており、該収容部は、該ホースの先端側を収容する先端側収容部と該ホースの他の部分を収容する基端側収容部からなり、該先端側収容部及び該基端側収容部は、該開口部に沿って並列され、該先端側収容部は、基端側支柱を有しており、該基端側支柱は、該ホースを該基端側収容部から該先端側収容部に受け渡すための受け渡し空間を形成するように上部側又は下部側が切除されたものであり、該ホースは、該先端側収容部と該基端側収容部とに分けられて収容されることを特徴とする消火栓装置である。尚、本発明において、先端側とはホース先端がある方向を意味し、基端側とはホース基端がある方向を意味する。
【０００９】
又、本発明は、先端側に放水用ノズルが接続され、基端側から消火水が供給されるホースと、該ホースを内巻きで収容するための収容部を有する筐体とを備えた消火栓装置であって、該筐体は、開口部を有しており、該収容部は、該ホースの先端側を収容する先端側収容部と該ホースの他の部分を収容する基端側収容部からなり、該先端側収容部及び該基端側収容部は、該開口部に沿って並列され、該先端側収容部は、基端側収容枠を有しており、該基端側収容枠は、該開口部側に前板を有しており、該前板は、該ホースを該基端側収容部から該先端側収容部に受け渡すための受け渡し空間を形成する様に上部側又は下部側が切除されたものであり、該ホースは、該先端側収容部と該基端側収容部とに分けられて収容されることを特徴とする消火栓装置である。
又、本発明は、先端側に放水用ノズルが接続され、基端側から消火水が供給されるホースと、該ホースを内巻きで収容するための収容部を有する筐体とを備えた消火栓装置であって、該収容部は、該ホースの先端側を収容する先端側収容部と該ホースの他の部分を収容する基端側収容部からなり、該先端側収容部は、基端側支柱及び該基端側支柱と連続する基端側収容枠と該ホースを該筐体外に引き出すための開口部とを有し、該基端側収容枠は、該開口部側に前板を有しており、該基端側支柱及び該前板は、該ホースを該基端側収容部から該先端側収容部に受け渡すための受け渡し空間を形成するように上部側又は下部側が切除されたものであり、該ホースは、該先端側収容部と該基端側収容部とに分けられて収容されることを特徴とする消火栓装置である。
【発明の効果】
【００１０】
本発明は、ホースを先端側収容部と基端側収容部に分けて収納することができるので、内巻きで収容されたホースの水平部を長くすることなく、ホース収容部の奥行きを短くすることができるため、消火作業に支障をきたす事なく消火栓装置を薄型化することができる。又、トンネル等の側壁に埋め込んで消火栓装置を設置する場合においても、設置スペースを補強することなしに消火栓装置を設置することを可能である。
【図面の簡単な説明】
【００１１】
【図１】本発明の消火栓装置を示す説明図であり、正面図に相当する図である。
【図２】図１のII‐II線における断面図に相当する図である。
【図３Ａ】本発明の消火栓装置における筐体を示す図であり、消火栓扉が閉まった状態を示す図である。
【図３Ｂ】本発明の消火栓装置における筐体を示す図であり、消火栓扉が開いた状態を示す図である。
【発明を実施するための形態】
【００１２】
本発明の実施形態を図１乃至３により説明する。消火栓装置１は、筐体２、ホース３及び放水用ノズル４を備える。筐体２は前面パネル５と前面が開放された箱体６を有する。又、ホース３は所定の長さを有し、その先端部３ａに放水用ノズル４が接続され、常時は箱体６に収納される。
【００１３】
前面パネル５には、前倒式の消火栓扉７、横開きの消火器扉８及び電気機器取付板３２が設けられる。消火栓扉７は、前面パネル５と蝶番等の回動手段によって回動可能に接続され、消火栓扉７の左右に形成されたハンドル９，１０を手前に引くことによって矢印Ａ１方向（前方方向）に略180°、筐体２に対して略垂れ下がる状態となる様に回転して、開口部１１を開放する。
【００１４】
電気機器取付板３２は、消火器扉８の側方に設けられ、表示灯１２及び発信機１３等の電気機器が取り付けられる。消火器扉８は、消火器扉８の右上側に形成されたハンドル１４を手前に引くことによって開放される。尚、後述するように、消火栓装置１の奥行きが、ホース収容部１５，１６の奥行きに合わせて設定されていることから、消火器扉８は、消火器３４を筐体２の内部に収容することができる様に、前面側に突出した円弧状に形成されている。
【００１５】
本実施形態では、消火栓扉を前倒式の消火栓扉７とすることで、必要な部材（放水用ノズル等）を配置する必要から、より強度を持たせなければならない従来技術の前傾式の消火栓扉を備えた消火栓装置よりも、薄型化を可能にしている。
【００１６】
箱体６には、所定の長さのホース３を収容するためホース収容部として先端側収容部１５及び基端側収容部１６が設けられる。先端側収容部１５は、ホース３の一部、即ち、放水用ノズル４側（先端部３ａ側）の部分を内巻きで収容し、又、基端側収容部１６は、ホース３の他の部分を内巻きで収容する。
【００１７】
基端側収容部１６と筐体２の前面パネル５との間には少なくともホース１本分、即ち、少なくともホース３の外径Ｒと同程度の奥行きの間隙１７が形成される。間隙１７は、後述する様に、基端側収容部１６から先端側収容部１５へとホース３を受け渡すために形成される（詳細については、段落［００３０］及び［００３３］を参照）。
【００１８】
先端側収容部１５は、先端側支柱１８、基端側支柱１９、先端側収容枠２０及び基端側収容枠２１を備える。先端側支柱１８は、上端が箱体６の上面に固定され、下端が箱体６の下面に固定される。基端側支柱１９は、下端が箱体６の下面に固定される。先端側収容枠２０は側板２０ａ及び前板２０ｂから成る略Ｌ字状の板体であり、先端側支柱１８と箱体６の内面（背面）６ａとの間に架設される。
【００１９】
又、基端側収容枠２１は、側板２１ａ及び前板２１ｂから成る略Ｌ字状の板体であり、基端側支柱１９と箱体６の内面６ａとの間に架設される。先端側支柱１８と基端側支柱１９との間には、ホース３を筐体２の外部に引き出すための開口部３３が形成されている。
【００２０】
基端側支柱１９と基端側収容枠２１の前板２１ｂには切欠部２２が形成されている。切欠部２２は、箱体６の上面に固定されるべき基端側支柱１９の上部側を切除し、又、基端側収容枠２１の前板２１ｂの上部側をテーパ状に切除したものである。
【００２１】
切欠部２２は、後述する様に、ホース３の受け渡し空間２９を形成すると共に消火作業時におけるホース３の破損を防止するために形成されるものである（詳細については、段落［００３４］及び［００３８］を参照）。尚、ホース３の破損を考慮しないならば、切欠部２２は、基端側収容枠２１の前板２１ｂの上部側をテーパ状に切除しなくてもよい。
【００２２】
基端側収容部１６は、先端側支柱２３、基端側支柱２４、先端側収容枠２５及び基端側収容枠２６を備える。先端側支柱２３及び基端側支柱２４は、上端が箱体６の上面に固定され、下端が箱体６の下面に固定される。先端側収容枠２５は側板２５ａ及び前板２５ｂから成る略Ｌ字状の板体であり、先端側支柱２３と箱体６の内面６ａとの間に架設される。本実施形態では先端側収容部１５における基端側収容枠２１の側板２１ａが側板２５ａを兼ねているが、側板２５ａが側板２１ａを兼ねていてもよい。
【００２３】
又、基端側収容枠２６は、側板２６ａ及び前板２６ｂから成る略Ｌ字状の板体であり、基端側支柱２４と箱体６の内面６ａとの間に架設される。先端側支柱２３と基端側支柱２４との間には、ホース３を筐体２の外部に引き出すための開口部２８が形成されている。
【００２４】
尚、詳細には説明しないが、基端側収容枠２６の前板２６ｂの前面には、消火栓弁（図示せず）を開閉操作するための開閉レバー（図示せず）が配置されている。この様に、基端側収容部１６から先端側収容部１５へとホース３を受け渡すための間隙１７を、開閉レバーの配置スペースとすることで、筐体２をコンパクト、かつ薄型化することができる。
【００２５】
各収容部１５，１６の先端側支柱１８，２３にはホース抑え２７が取り付けられている。ホース抑え２７は消火作業時にホース３が箱体６（収容部１５，１６）から飛び出るのを防止するための棒状の部材であり、その長さが略ホース３の外径Ｒ乃至外径Ｒ＋10mm程度になる様に形成される。ホース抑え２７の長さが、ホース３の外径Ｒと略同径乃至少なくとも２倍の径までに至らない程度の長さとすることで、消火作業時のホース３の引き出しに支障をきたさないようにすると共に、ホース３の意図しない飛び出しを防止することができる。ホース抑え２７の位置は、消火作業時にホース３が筐体２から飛び出るのを効果的に防止できる位置にあればよく、例えば、先端側支柱１８，２３の略中心部に取り付けられる。
【００２６】
尚、本実施形態において基端側収容部１６は１箇所であるが、必要に応じて複数箇所設けてもよい。この場合、最も基端側にある基端側収容部１６以外の基端側収容部１６における基端側支柱２４と基端側収容枠２６の前板２６ａには先端側収容部１５と同様に切欠部２２が形成される。
【００２７】
ホース３は基端部３ｂがメンテナンス弁３０を経由して消火栓弁（図示せず）に接続されると共に先端部３ａが差込継手３１を介して放水用ノズル４に接続される。又、この単体のホース３は、常時は、先端側収容部１５及び基端側収容部１６に分けられて箱体６に収容されており、消火作業時に箱体６から引き出されて使用される。尚、消火栓装置１は、消火栓弁（図示せず）やその二次側に配置される自動調圧弁（図示せず）が、消火栓弁ユニットとして筐体２の外部に設けられて、給水源（図示せず）に接続される配水本管（図示せず）からの分岐部に設置されている。
【００２８】
そして、消火栓弁ユニットの二次側からホース３（メンテナンス弁３０）までの間をフレキシブルな配管部材を用いて接続している。これにより、筐体２の内部構成が簡素となり、収容部１５，１６の設置スペースを効率的にとることができて、薄型化が容易となっている。しかしながら、消火栓装置１として、消火栓弁ユニットを筐体２の内部に設けていてもよい。
【００２９】
本実施形態において、先端側収容部１５の前方にはホース３を他の収容部に受け渡すための間隙を設ける必要がないため、先端側収容部１５は、その前面が箱体６の前面と略面一となっていて、基端側収容部１６よりも略ホース１列分突出しており、ホース３を箱体６に収容する際に、ホース３は先端側収容部１５に基端側収容部１６よりも１列分多く巻かれ収容される（詳細については、段落［００３０］及び［００３１］を参照）。尚、先端側収容部１５を基端側収容部１６よりも突出させず、先端側収容部１５と基端側収容部１６とを面一に設けることも可能である。
【００３０】
ホース３は、メンテナンス弁３０側である右側方上部から基端側収容部１６内に導入される。そして、先ず、基端側収容部１６に内巻きで反時計回りに２列且つ３重の状態で収容され、１列目のホース３Ｆ２は箱体６の内面６ａに当接又は略接し、２列目のホース３Ｓ２は基端側収容部１６の前板２５ｂ又は前板２６ｂに当接又は略接している。そして、ホース３は、基端側収容部１６の先端側支柱２３と基端側支柱２４の間の開口部２８から間隙１７及び受け渡し空間２９を経て、先端側収容部１５の上部へと受け渡される。
【００３１】
又、ホース３は、放水用ノズル４と共に、先端側収容部１５に内巻きで反時計回りに３列且つ３重の状態で収容されることによって、箱体６に収容される。この時、１列目のホース３Ｆ１は箱体６の内面６ａ当接又は略接し、３列目のホース３Ｔ１は先端側収容部１５の前板２０ｂ又は前板２１ｂに当接又は略接している。尚、各収容部１５，１６のホースの列数等はホース３の長さ等に応じて適宜決定することができる。
【００３２】
ホース３が各収容部１５，１６に収容される際、上部側の水平部３ｃの長さをホース３が破損しない範囲（例えば、破損しない屈曲率の範囲）において可能な限り短くなる様に巻かれることが好ましい。この様にすることで、消火作業の際に、消火水の自重によってホース３が垂れ下がり、又は、消火水の供給によってホース３が暴れ、消火作業に支障をきたすことを防止することができる。
【００３３】
又、ホース３を基端側収容部１６から先端側収容部１５に受け渡たす際、間隙１７及び受け渡し空間２９が設けられていることが好ましい。間隙１７が設けられていることで、ホース３を基端側収容部１６の側板２５ａ（先端側収容部１５の側板２１ａ）の上方を経由して先端側収容部１５に受け渡す必要がないため、ホース３を収容部１５，１６に容易に収容することができる。
【００３４】
そして、受け渡し空間２９が設けられていることで、ホース３を基端側収容部１６の先端側支柱２３と先端側収容部１５の基端側支柱１９との間を縫う様にして、ホース３の受け渡しをする必要がないため、ホース３を収容部１５，１６に容易に収容することができる。
【００３５】
消火栓装置１は、例えば、高速道路や自動車専用道路等のトンネル等（図示せず）の側面に埋め込まれた状態で設置される。従来の消火栓装置では所定の長さのホース３の収容に約200mmの奥行きが必要であったため、消火栓装置全体として奥行き200mm以下にすることはできず、その奥行きは300mm程度である。対して、本実施形態の消火栓装置１はホース３を先端側収容部１５及び基端側収容部１６に分けて収納しているため、ホース３の収容に約200mmの奥行きを必要とせず、消火栓装置１全体の奥行きを約200mm以下に抑えることが可能である。
【００３６】
そして、本実施形態の様に、その奥行きを200mm以下に抑えることができれば、トンネル等の側面に設けられた設置スペースを補強することなしに、消火栓装置１を設置することが可能となる。
【００３７】
又、本実施形態では、ホース３の水平部３ｃの長さをホース３が破損しない範囲において短くすることができるので、消火水が供給された際には、ホース３が消火水によってホース３が垂れ下がったり、暴れたりすることを防止することができると共に、ホース抑え２７によって、ホース３が箱体６から飛び出るのを防止することができるので、消火作業に支障が出るのを防止することができる。
【００３８】
更に、切欠部２２が形成されていることによって、ホース３を箱体６から引き出す等の際に、前板２１ｂに引っかかる等することによってホース３が破損する可能性を低減することができる。
【００３９】
次に、このような消火栓装置１の使用方法につき、火災の発生時、ホース３を伸ばして放水用ノズル４から放水する場合について説明する。操作者は、まず消火栓扉７を開けるため、ハンドル９，１０を握り手前に引くことで、消火栓扉７が約180°手前に倒れて垂れ下がるように開放する。この消火栓扉７が開放すると、その開口部１１から放水用ノズル４と開閉レバー（図示せず）が見える。
【００４０】
そして、操作者は、放水用ノズル４を掴み、又、開閉レバー（図示せず）を操作することで、ワイヤ（図示せず）で結合する消火栓弁（図示せず）を開放することができ、消火栓弁の一次側まで来ている給水源（図示せず）から供給される消火水が自動調圧弁（図示せず）を介してホース３内に流入する。
【００４１】
この状態で、放水用ノズル４を握りながら、操作者が火災の現場に向うとき、ホース３は、まず先端側収容部１５から筐体２外部に順次繰り出される。そして、先端側収容部１５から全て繰り出されると、ホース３は、基端側支柱１９の内側に当接しながら上部方向へと移動し、次に、切欠部２２上を摺動しながら受け渡し空間２９に移動する。そして、ホース３は、受け渡し空間２９、間隙１７、開口部２８を経由して、基端側収容部１６から筐体２外部に順次繰り出される。そして、火災の現場に近づき、放水用ノズル４から流入する消火水を放出して消火活動を行うことができる。
【００４２】
この様に使用したホース３を収容する際には、前面パネル５を取り外すことにより、箱体６の前面が開放されるので、ホース収容部としての先端側収容部１５、基端側収容部１６への収容作業が行いやすくなる。
【００４３】
以上、説明した様に、本発明では所定の長さのホース３を先端側収容部１５及び基端側収容部１６に分けて収容する様にしたので、１つの収容部にホース３を内巻きで収容する場合と比較して、収容部の奥行きを薄くすることができるので、消火栓装置１自体の奥行きも薄くすることができる。
【００４４】
又、本発明では、消火栓装置１の奥行きを200mm以下にすることが可能であるため、トンネル等の側面に埋め込んで消火栓装置を設置する場合でも、設置スペースを補強することなく、消火栓装置を設置することが可能である。
【００４５】
そして、収容されたホース３の水平部３ｃの長さを長くすることなく、消火栓装置１の奥行きを短くすることが可能なため、消火栓装置１を薄型化しても消火作業に支障をきたすことを防止することができる。
【００４６】
前記実施形態において、ホース収容部としての先端側収容部１５、基端側収容部１６は、ホース３を反時計回りに収容するものとして説明したが、時計回りに収容するものとしてもよい。又、側方上部からホース３が内部に導入されるものとして説明したが、側方下部からホース３が内部に導入されるものとしてもよく、その場合、先端側収容部１５は、基端側支柱１９の下部側を切除し、又、基端側収容枠２１の前板２１ｂの下部側をテーパ状に切除した切欠部を形成するものとしてもよい。更に、先端側収容部１５が左側、基端側収容部１６が右側に配置される構成としたが、逆の配置としてもよい。
【符号の説明】
【００４７】
１      消火栓装置          ２      筐体                ３      ホース
３ａ    先端部              ３ｂ    基端部              ４      放水用ノズル
５      前面パネル          ６      箱体                ６ａ    内面
７      消火栓扉            ８      消火器扉            ９      ハンドル
１０    ハンドル            １１    開口部              １２    表示灯
１３    発信機              １４    ハンドル            １５    先端側収容部
１６    基端側収容部        １７    間隙                １８    先端側支柱
１９    基端側支柱          ２０    先端側収容枠        ２０ａ  側板
２０ｂ  前板                ２１    基端側収容枠        ２１ａ  側板
２１ｂ  前板                ２２    切欠部              ２３    先端側支柱
２４    基端側支柱          ２５    先端側収容枠        ２５ａ  側板
２５ｂ  前板                ２６    基端側収容枠        ２６ａ  側板
２６ｂ  前板                ２７    ホース抑え          ２８    開口部
２９    受け渡し空間        ３０    メンテナンス弁      ３１    差込継手
３２    電気機器取付板      ３３    開口部              ３４    消火器
【図１】
0005826076.tif 000002
【図２】
0005826076.tif 000003
【図３Ａ】
0005826076.tif 000004
【図３Ｂ】
0005826076.tif 000005